(57)【要約】      （修正有）【課題】  体裁良く且つ露出状態、埋設状態を問わずに良好に配設でき、作業性・生産性等に秀れた極めて実用的な消雪ノズルを提供する。【解決手段】  散水体９からの散水量を調整する流量調整機構７を備えた消雪ノズルであって、散水体９を、この散水体９の先端部位がノズル本体２の先端面より突出しない位置に設け、ノズル本体２の先端面及び散水体９の先端部位がこのノズル本体２を埋設する埋設面１より突出しない先端側形状に構成し、給水路４に、接続孔から散水路５に導入される水の流量を回動操作部の回動操作により可変し得る弁体10を、この回動操作部が前記ノズル本体２の先端側に露出状態となるように設け、この弁体10を流量調整機構７に設定したものである。【選択図】図１
2005103443.tif 000002
【特許請求の範囲】
【請求項１】
給水管からの水が導入される基端開口部と、この導入された水が散水される先端開口部とが形成されたノズル本体に、前記基端開口部と連通し、この基端開口部からの水が導入される給水路と、この給水路及び先端開口部と連通し、前記給水路からの水を前記先端開口部から散水する散水体が設けられる散水路とを夫々、ノズル本体の長さ方向に対して略平行に並設状態に設けると共に、夫々を一若しくは複数並設状態に設け、前記給水路と散水路とを接続孔により連通状態に設け、前記散水体からの散水量を調整する流量調整機構を備えた消雪ノズルであって、散水体を、この散水体の先端部位がノズル本体の先端面より突出しない位置に設け、ノズル本体の先端面及び前記散水体の先端部位がこのノズル本体を埋設する埋設面より突出しない先端側形状に構成し、給水路に、接続孔から散水路に導入される水の流量を回動操作部の回動操作により可変し得る弁体を、この回動操作部が前記ノズル本体の先端側に露出状態となるように設け、この弁体を前記流量調整機構に設定したことを特徴とする消雪ノズル。
【請求項２】
前記散水体の散水方向を前記ノズル本体の先端側から自在に調整できる散水方向調整機構を備えたことを特徴とする請求項１記載の消雪ノズル。
【請求項３】
前記ノズル本体の先端面を平坦面に設定し、ノズル本体の先端面と前記埋設面とが略面一状態となるように構成したことを特徴とする請求項１，２のいずれか１項に記載の消雪ノズル。
【請求項４】
前記給水管と基端開口部とを連結する給水連結部を給水路に対して平行状態若しくは垂直状態に設けたことを特徴とする請求項１〜３のいずれか１項に記載の消雪ノズル。
【発明の詳細な説明】
【技術分野】
【０００１】
本発明は、消雪ノズルに関するものである。
【背景技術】
【０００２】
道路の積雪を散水で融かす消雪ノズルには、道路に埋設され、その周囲に散水するタイプと、道路脇に設けられ、この道路脇から道路中央に向かって散水するタイプ（例えば実用新案登録第３００２２４６号公報（特許文献１）参照）とがある。
【０００３】
どちらのタイプも、十分な消雪作用を発揮できるものであるが、道路に埋設されるタイプが一般に車道の中央付近に埋設され、施工時に車両の交通を妨げることが多いのに対し、道路脇に設けられるタイプは、道路脇での作業となるため、前記車両の交通をさほど妨げることなく施工を行うことができ、作業性及び安全性に秀れており、近年広く用いられるようになってきている。
【０００４】
ところで、この道路脇に設けられるタイプは更に、歩車道を分ける縁石や段差等に埋設状態に配設されるタイプと、埋設されずに道路脇に露出状態に配設されるタイプとに分けられる。
【０００５】
埋設状態に配設されるタイプは、歩車道を分ける縁石や段差等を形成するコンクリートブロック等に、消雪ノズルと、この消雪ノズルに水を供給する給水管等を予め設けておくことで、単にこの縁石を設置するだけで施工することができ、極めて施工が容易で、しかも、消雪ノズルがこのコンクリートブロックに埋設されて邪魔になりにくいものである。しかし、既存のコンクリートブロックにこれらの消雪ノズルと給水管とを埋設するのは厄介であり、この場合には、コンクリートブロック自体を取り替える必要があり、汎用性に劣る。
【０００６】
一方、露出状態に配設されるタイプは、上述した既存のコンクリートブロック等、任意の場所に容易に配設することができ汎用性に秀れるが、露出状態で配設されるため当然人や車両の邪魔となり、また、体裁が悪いという欠点がある。
【０００７】
従って、従来は上述の道路脇に設けられる二つのタイプの消雪ノズルを状況に応じて適宜選択して配設しているが、外観への配慮と更なる作業性及び生産性の向上が要望されているのが現状である。
【０００８】
【特許文献１】実用新案登録第３００２２４６号公報
【発明の開示】
【発明が解決しようとする課題】
【０００９】
本発明は、上述のような現状に鑑み、ノズルのコンパクト化及び先端面の平坦化を図ることで、体裁良く且つ露出状態、埋設状態を問わずに良好に配設でき、作業性・生産性等に秀れた極めて実用的な消雪ノズルを提供することを課題としている。
【課題を解決するための手段】
【００１０】
添付図面を参照して本発明の要旨を説明する。
【００１１】
給水管３からの水が導入される基端開口部２ａと、この導入された水が散水される先端開口部２ｂとが形成されたノズル本体２に、前記基端開口部２ａと連通し、この基端開口部２ａからの水が導入される給水路４と、この給水路４及び先端開口部２ｂと連通し、前記給水路４からの水を前記先端開口部２ｂから散水する散水体９が設けられる散水路５とを夫々、ノズル本体２の長さ方向に対して略平行に並設状態に設けると共に、夫々を一若しくは複数並設状態に設け、前記給水路４と散水路５とを接続孔６により連通状態に設け、前記散水体９からの散水量を調整する流量調整機構７を備えた消雪ノズルであって、散水体９を、この散水体９の先端部位がノズル本体２の先端面より突出しない位置に設け、ノズル本体２の先端面及び前記散水体９の先端部位がこのノズル本体２を埋設する埋設面１より突出しない先端側形状に構成し、給水路４に、接続孔６から散水路５に導入される水の流量を回動操作部の回動操作により可変し得る弁体10を、この回動操作部が前記ノズル本体２の先端側に露出状態となるように設け、この弁体10を前記流量調整機構７に設定したことを特徴とする消雪ノズルに係るものである。
【００１２】
また、前記散水体９の散水方向を前記ノズル本体２の先端側から自在に調整できる散水方向調整機構８を備えたことを特徴とする請求項１記載の消雪ノズルに係るものである。
【００１３】
また、前記ノズル本体２の先端面を平坦面に設定し、ノズル本体２の先端面と前記埋設面１とが略面一状態となるように構成したことを特徴とする請求項１，２のいずれか１項に記載の消雪ノズルに係るものである。
【００１４】
また、前記給水管３と基端開口部２ａとを連結する給水連結部11を給水路４に対して平行状態若しくは垂直状態に設けたことを特徴とする請求項１〜３のいずれか１項に記載の消雪ノズルに係るものである。
【発明の効果】
【００１５】
本発明は上述のように構成したから、体裁良く且つ露出状態、埋設状態を問わずに良好に配設でき、作業性・生産性等に秀れた極めて実用的な消雪ノズルとなる。
【００１６】
また、請求項２記載の発明においては、配設場所に応じて一層適切な散水設定を行うことができる一層実用性に秀れた消雪ノズルとなる。
【００１７】
また、請求項３記載の発明においては、一層体裁良く配設できると共に、耐久性及び安全性が一層良好なより一層実用性に秀れた消雪ノズルとなる。
【００１８】
また、請求項４記載の発明においては、本発明を一層容易に実現できる一層実用性に秀れた消雪ノズルとなる。
【発明を実施するための最良の形態】
【００１９】
好適と考える本発明の実施の形態（発明をどのように実施するのが最良か）を、図面に基づいてその作用効果を示して簡単に説明する。
【００２０】
給水路４と散水路５とを並設状態に設けて接続孔６により連通した構成であるから、この給水路４と散水路５とをノズル本体２の長さ方向に直列状態に連通した場合に比し、この給水路４と散水路５のいずれか一方の長さの分だけノズル本体２の長さを短くすることができ、このノズル本体２のコンパクト化を図ることができる。従って、薄型化・軽量化及び低コスト化を達成できる。
【００２１】
即ち、このノズル本体２を道路脇に露出状態に配設する場合には、前記薄型化によってその分目立ちにくく、外観を損なうことなく体裁良く配設することができるだけでなく、前記軽量化によって作業性良く良好に配設することができ、加えて、人や車両がこのノズル本体２に接触しにくく破損しにくい構成となり、従って、耐久性に秀れたものとなるだけでなく、安全性にも秀れたものとなる。
【００２２】
また、散水路５に設けられる散水体９を、その先端部位が前記ノズル本体２の先端面より突出しない位置に設けることで、この散水体９への人や車両の接触も確実に阻止されるから、この点からも耐久性及び安全性に秀れたものとなる。
【００２３】
一方、このノズル本体２を埋設状態に配設する場合には、上述のコンパクト化により、通常、予めコンクリートブロック等に埋設した状態で、このコンクリートブロック等を配設することで配設されるが、このコンクリートブロック等に、薄型且つ軽量であるが故に良好に埋設することができ、作業性に秀れたものとなる。
【００２４】
また、上述の露出状態に配設する場合と同様、このノズル本体２の先端面及び散水路５に設けられる散水体９は、埋設面１に対して突出しないから、このノズル本体２及び散水体９に人や車両等が接触することが確実に阻止されて、ノズル本体２及び散水体９の破損が確実に阻止されることになり、従って、耐久性に秀れたものとなるだけでなく、安全性にも秀れたものとなる。加えて、ノズル本体２の先端側形状を埋設面１に対して突出しない形状とすることで、この埋設面１に埋設したノズル本体２が目立ちにくくなり、外観を損なうことなく体裁良く配設することができる。
【００２５】
更に、このノズル本体２の流量調整機構７は、このノズル本体２の先端側から、このノズル本体２の散水路５に導入される水の流量、即ち、散水体９からの散水量を調整することができる構成であり、具体的には、給水路４に設けた弁体10の回動操作部を前記ノズル本体２の先端側から回動操作することで、このノズル本体２の散水路５に導入される水の流量を調整することができ、このノズル本体２を埋設状態のまま前記散水体９からの散水量を調整することができる。従って、ノズル本体２を取り出す必要なく簡易に散水量を調整することが可能となる。
【００２６】
従って、ノズル本体２は、露出状態に配設する場合も、埋設状態に配設する場合も外観に与える影響を可及的に小さくして体裁良く配設することができ、しかも、耐久性・安全性に秀れたものとなる。よって、製造するノズルの形状を露出状態に配設するタイプと埋設状態に配設するタイプとに分ける必要なく統一することができ、生産性に秀れたものとなる。
【００２７】
また、例えば、前記散水体９の散水方向を前記ノズル本体２の先端側から自在に調整できる散水方向調整機構８を備えた場合、本発明は、給水路４を利用して、この給水路４に流量調整機構７として弁体10を設けた構成であるから、前記散水方向調整機構８と流量調整機構７とが互いに干渉せず、ノズル本体２の先端面から良好に散水体９からの散水量及びその散水方向を調整することが可能となる。
【００２８】
また、例えば、前記ノズル本体２の先端面を平坦面に設定し、ノズル本体２の先端面と前記埋設面１とが略面一状態となるように構成した場合、このノズル本体２と埋設面１との境界部分が目立ちにくく、極めて体裁良く前記コンクリートブロック等に埋設することが可能となる。即ち、上述のように前記給水路４と散水路５とを略平行に並設状態に設けた場合には、この給水路４と散水路５を並設した分だけノズル本体２の先端面の面積が増加してしまう心配があるが、この点、前記ノズル本体２の先端面を平坦面に設定することで、このノズル本体２を前記埋設面１に目立たないように体裁良く埋設状態に配設できる構成である。
【００２９】
従って、本発明は、体裁良く且つ露出状態、埋設状態を問わずに良好に配設でき、作業性・生産性等に秀れた極めて実用的な消雪ノズルとなる。
【実施例１】
【００３０】
本発明の具体的な実施例１について図面に基づいて説明する。
【００３１】
実施例１は、給水管３からの水が導入される基端開口部２ａと、この導入された水が散水される先端開口部２ｂとが形成されたノズル本体２に、前記基端開口部２ａと連通し、この基端開口部２ａからの水が導入される給水路４と、この給水路４及び先端開口部２ｂと連通し、前記給水路４からの水を前記先端開口部２ｂから散水する散水体９が設けられる散水路５とを夫々、ノズル本体２の長さ方向に対して略平行に並設状態に設けると共に、夫々を複数並設状態に設け、前記給水路４と散水路５とを接続孔６により連通状態に設け、前記散水体９からの散水量を調整する流量調整機構７を備えた消雪ノズルであって、散水体９を、この散水体９の先端部位がノズル本体２の先端面より突出しない位置に設け、ノズル本体２の先端面及び前記散水体９の先端部位がこのノズル本体２を埋設する埋設面１より突出しない先端側形状に構成し、給水路４に、接続孔６から散水路５に導入される水の流量を回動操作部の回動操作により可変し得る弁体10を、この回動操作部が前記ノズル本体２の先端側に露出状態となるように設け、この弁体10を前記流量調整機構７に設定したものである。
【００３２】
即ち、実施例１は、前記給水路４と散水路５とを直列状態に連通した構成ではなく、この給水路４と散水路５とを夫々ノズル本体２内にこのノズル本体２の長さ方向と略平行に並設状態に設けることで、このノズル本体２の長さをこの給水路４若しくは散水路５の長さと略同じ長さに設定し得るものである。
【００３３】
具体的には、図１，３に図示したように、給水路４と散水路５とを並設状態に設け、この給水路４と散水路５とを接続孔６により連通し、給水路４にこの接続孔６を通じて散水路５に導入される水の流量を調整する流量調整機構７を設けている。
【００３４】
この流量調整機構７としては弁体10を採用している。即ち、弁体10を給水路４に設けることで、散水を行う散水体９と前記弁体10とを略平行に設け、コンパクト化を達成できるだけでなく、散水体９からの散水量及び散水方向の設定を極めて容易に行うことができる構成である。
【００３５】
更に具体的に実施例１について説明すると、ノズル本体２に、ノズル本体２の基端開口部２ａから先端側に向かって直線孔を穿設してこの直線孔を給水路４に設定し、この給水路４と略平行に先端開口部２ａから基端側に向かって散水路５を設けた構成である。
【００３６】
また、給水路４をノズル本体２を（給水路側先端開口部２ｃを形成する）貫通孔に設定し、この給水路４に、給水路４と散水路５とを連通する接続孔６から散水路５に導入される水の流量を回動操作により可変し得る弁体10を設け、この弁体10を前記流量調整機構７とし、この弁体10の頭部25を回動操作部に設定し、この頭部25を前記ノズル本体２の先端開口部２ｂから調整可能な位置に設けた構成としている。
【００３７】
弁体10は、図４に図示したように、尾部にノズル本体２の基端開口部２ａと連通する連通孔23と、この連通孔23と接続孔６を連通する連通溝20とを設けた構成であり、この弁体10の頭部25に設けた嵌合溝21にドライバー等の工具を嵌入してこの弁体10を回動することにより、図６，７に図示したように前記連通溝20と接続孔６との連通面積を調整して、この接続孔６を通って散水路５に導入される水の流量を無段階に調整し得る構成である。
【００３８】
図６は、左右の弁体10を、連通溝20が接続孔６と完全に連通して開放状態とした状態を図示したものであり、図７は、図７中右側の弁体10を、連通溝20と接続孔６とが連通しない閉塞状態、図７中左側の弁体10を、連通溝20と接続孔６とが一部が連通して半開放状態とした状態を図示したものである。図中符号12は弁体10を係止する係止ピン、19はＯリング、22は係止ピン12が挿通する挿通孔、24は係止ピン12が係止する係止溝である。尚、弁体10として別体構成のもの等、他の構成を採用しても良い。
【００３９】
実施例１は、ノズル本体２の長さを、散水体９を配設するのに必要な給水路４（及び散水路５）の長さと略同じ長さに設定している。即ち、このノズル本体２の長さを必要最低限の長さまで短くしてコンパクト化を図ることが可能となる。
【００４０】
更に、実施例１は、前記散水体９の散水方向を前記ノズル本体２の先端側から自在に調整できる散水方向調整機構８を散水路５に設けた構成である。
【００４１】
具体的には、図５に図示したように、散水路５は基端径小部５ａと先端径大部５ｂとから成り、先端径大部５ｂの底部に、散水路が形成されたフラスコ状の散水体９の基部９ａの基端側を支承保持する円環支承体13を配設すると共に、内周面の一部を螺子孔14とした先端径大部５ｂに、この螺子孔14と螺着する螺子部15を外周面に設け且つ基端開口部に前記散水体９の基部９ａの先端側を支承保持する支承保持部16を形成した筒体17を螺着することで、この筒体17の支承保持部16と前記円環支承体13とで散水体９を挾持固定し得るようにした構成である。
【００４２】
従って、例えば、筒体17の先端開口部に設けられた溝18に適宜な工具を嵌入して回動し、この筒体17の螺着を緩めて前記散水体９の先端部を任意の方向に調整して再度挾持固定するだけで、極めて容易に散水方向を調整することができる。
【００４３】
即ち、実施例１は、夫々の散水体９からの散水量及びその散水方向を自在に設定することができ、配設場所に応じて最適な散水設定をすることが可能な構成である。
【００４４】
また、実施例１は、散水体９を、この散水体９の先端部位がノズル本体２の先端面より突出しない位置に設け、ノズル本体２の先端面及び前記散水体９の先端部位がこのノズル本体２を埋設する埋設面１より突出しない先端側形状に構成することで、外観を損なうことなく体裁良く配設でき、人や車両との接触等を可及的に阻止できるものである。
【００４５】
具体的には、前記ノズル本体２の先端面を平坦面に設定し、このノズル本体２を埋設した際、このノズル本体２の先端面が埋設面１と略面一状態となるように構成している。
【００４６】
従って、このノズル本体２を埋設状態に配設した際、この埋設面１とノズル本体２の先端面との境界部分において凹凸が目立たず、外観が極めて良好となり、体裁が極めて良くなる。尚、実施例１においては、ノズル本体２の先端面を平坦面に設定しているが、このノズル本体２の先端面の端縁部が埋設面１と略面一状態となるように構成しても良い、即ち、このノズル本体２の先端面の端縁部のみが埋設面１と面一で、先端面の中央部近傍が埋設面１に対して没入した構成としても、上述の埋設面１との境界部分は目立たず、外観を損なわない。
【００４７】
即ち、給水路４と散水路５とを略平行に並設状態に設けたことによるコンパクト化と、先端面の平坦化により、道路脇に埋設状態に配設した場合も、露出状態に配設した場合もいずれも外観への影響を可及的に小さくしつつ、人や車両の邪魔になりにくい構成である。
【００４８】
ノズル本体２は、前記給水管３と基端開口部２ａとを連結する連結路11ａを有する給水連結部11を給水路４に対して平行状態若しくは垂直状態に設け、この給水連結部11を給水管３等の連結部と連結することで配設される。
【００４９】
実施例１においては、この給水連結部11を給水路４と平行状態に設けた構成としている。従って、図８に図示したように、特に、図８中Ａの状態のように道路脇の縁石を形成するコンクリートブロック上に露出状態に配設する場合に、給水管３への連結を極めて良好に行うことができるものとなるが、上述したようにコンパクトで先端面が平坦面であることから、図８中Ｂの状態のように、コンクリートブロックの側面に体裁良く良好に埋設状態に配設することもできる。
【００５０】
また、図２は前記給水連結部11を給水路４に対して垂直状態に設けた実施例１の別例であって、限られた幅の中に収める必要があるコンクリートブロック等への埋設を良好に行うことができ、特に良好に埋設状態に配設することができるものであるが、上述のようにコンパクトであるから、当然ながら露出状態に配設する場合も良好に配設できる。
【００５１】
実施例１は上述のように構成したから、給水路４と散水路５とを並設状態に設けて接続孔６により連通した構成であるから、この給水路４と散水路５とをノズル本体２の長さ方向に直列状態に連通した場合に比し、この給水路４と散水路５のいずれか一方の長さの分だけノズル本体２の長さを短くすることができ、このノズル本体２のコンパクト化を図ることができる。従って、薄型化・軽量化及び低コスト化を達成できる。
【００５２】
即ち、このノズル本体２を道路脇に露出状態に配設する場合には、前記薄型化によってその分目立ちにくく、外観を損なうことなく体裁良く配設することができるだけでなく、前記軽量化によって作業性良く良好に配設することができ、加えて、人や車両がこのノズル本体２に接触しにくく破損しにくい構成となり、従って、耐久性に秀れたものとなるだけでなく、安全性にも秀れたものとなる。
【００５３】
また、散水路５に設けられる散水体９を、その先端部位が前記ノズル本体２の先端面より突出しない位置に設けることで、この散水体９への人や車両の接触も確実に阻止されるから、この点からも耐久性及び安全性に秀れたものとなる。
【００５４】
一方、このノズル本体２を埋設状態に配設する場合には、上述のコンパクト化により、通常、予めコンクリートブロック等に埋設した状態で、このコンクリートブロック等を配設することで配設されるが、このコンクリートブロック等に、薄型且つ軽量であるが故に良好に埋設することができ、作業性に秀れたものとなる。
【００５５】
しかも、このノズル本体２の先端面及び散水路５に設けられる散水体９は、埋設面１に対して突出しないから、このノズル本体２及び散水体９に人や車両等が接触することが確実に阻止されて、ノズル本体２及び散水体９の破損が確実に阻止されることになり、従って、耐久性に秀れたものとなるだけでなく、安全性にも秀れたものとなる。
【００５６】
加えて、ノズル本体２の先端側形状を埋設面１に対して突出しない形状、具体的には、ノズル本体２の先端面を埋設面１と略面一状態とすることで、この埋設面１に埋設したノズル本体２と埋設面１との境界部分が目立ちにくく、外観を損なうことなく極めて体裁良く配設することができる。
【００５７】
更に、このノズル本体２の流量調整機構７は、このノズル本体２の先端側から、このノズル本体２の散水路５に導入される水の流量、即ち、散水体９からの散水量を調整することができる構成であり、具体的には、給水路４に設けた弁体10の回動操作部を前記ノズル本体２の先端側から回動操作することで、このノズル本体２の散水路５に導入される水の流量を調整することができ、このノズル本体２を埋設状態のまま前記散水体９からの散水量を調整することができる。従って、ノズル本体２を露出させることなく簡易に散水量を調整することが可能となる。
【００５８】
更に、この流量調整機構７と散水方向調整機構８とを並設状態に設けた構成であるから、散水路５に設けられる夫々の散水体９の散水量及びその散水方向を自在に設定して配設場所に応じた最適な散水設定が可能となるだけでなく、これらの設定をノズル本体２の先端側から容易に行うことができ、この点からも極めて作業性に秀れたものとなる。
【００５９】
従って、ノズル本体２は、露出状態に配設する場合も、埋設状態に配設する場合も外観に与える影響を可及的に小さくして体裁良く配設することができ、しかも、耐久性・安全性に秀れたものとなる。よって、製造するノズルの形状を統一することができ、生産性に秀れたものとなる。
【００６０】
よって、実施例１は、外観への影響を低減しつつ体裁良く配設できると共に、露出状態、埋設状態を問わずに、良好に配設でき、作業性・生産性等に秀れた極めて実用的な消雪ノズルとなる。
【実施例２】
【００６１】
本発明の具体的な実施例２について図面に基づいて説明する。
【００６２】
実施例２は、給水管３からの水が導入される基端開口部２ａと、この導入された水が散水される先端開口部２ｂとが形成されたノズル本体２に、前記基端開口部２ａと連通し、この基端開口部２ａからの水が導入される給水路４と、この給水路４及び先端開口部２ｂと連通し、前記給水路４からの水を前記先端開口部２ｂから散水する散水体９が設けられる散水路５とを夫々、ノズル本体２の長さ方向に対して略平行に並設状態に一ずつ設け、前記給水路４と散水路５とを接続孔６により連通状態に設け、前記散水体９からの散水量を調整する流量調整機構７を備えた消雪ノズルであって、散水体９を、この散水体９の先端部位がノズル本体２の先端面より突出しない位置に設け、ノズル本体２の先端面及び前記散水体９の先端部位がこのノズル本体２を埋設する埋設面１より突出しない先端側形状に構成し、給水路４に、接続孔６から散水路５に導入される水の流量を回動操作部の回動操作により可変し得る弁体10を、この回動操作部が前記ノズル本体２の先端面に露出状態となるように設け、この弁体10を前記流量調整機構７に設定したものである。
【００６３】
実施例２は、図９，１０に図示したように、給水路４と散水路５とを夫々一ずつ設けた構成であり、その分一層コンパクト化を図ることができ、配設場所をより自由に設定することができ、極めて汎用性に秀れるのは勿論、一層体裁良く配設できる構成である。
【００６４】
また、図９は、給水管３と連結する給水連結部11を給水路４に対して垂直状態に設けた場合を図示したものであり、コンクリートブロック等への埋設を極めて良好に行えるタイプであるが、上述したようにコンパクトで極めて汎用性に秀れることから、道路脇に露出状態に配設する際にも体裁良く配設することができる。
【００６５】
一方、図１０は、実施例２の別例であって、前記給水連結部11を給水路４に対して平行状態に設けた場合であり、道路脇に一層良好に露出状態に配設することができるタイプであるが、埋設状態に良好に配設することも可能である。
【００６６】
その余は実施例１と同様である。
【図面の簡単な説明】
【００６７】
【図１】実施例１の説明斜視図である。
【図２】別例の説明斜視図である。
【図３】実施例１の分解説明斜視図である。
【図４】実施例１の給水路４と平行な面で切断した説明側断面図である。
【図５】実施例１の散水路５と平行な面で切断した説明側断面図である。
【図６】実施例１の説明断面図である。
【図７】実施例１の説明断面図である。
【図８】実施例１の使用状態図である。
【図９】実施例２の説明斜視図である。
【図１０】別例の説明斜視図である。
【符号の説明】
【００６８】
１  埋設面
２  ノズル本体
２ａ  基端開口部
２ｂ  先端開口部
３  給水管
４  給水路
５  散水路
６  接続孔
７  流量調整機構
８  散水方向調整機構
９  散水体
10  弁体
11  給水連結部
【図１】
2005103443.tif 000003
【図２】
2005103443.tif 000004
【図３】
2005103443.tif 000005
【図４】
2005103443.tif 000006
【図５】
2005103443.tif 000007
【図６】
2005103443.tif 000008
【図７】
2005103443.tif 000009
【図８】
2005103443.tif 000010
【図９】
2005103443.tif 000011
【図１０】
2005103443.tif 000012